(57)【特許請求の範囲】
【請求項１】
扉に固定される縦長のハウジングと、前記ハウジングに収容される縦長の平板状把持部材とを含み、前記把持部材の長手方向の一端が前記ハウジングに対し回動可能に取り付けられ、前記把持部材に設けられたシリンダ錠により前記把持部材が前記ハウジングに対しロックされ、電気機器を格納するキャビネットの扉に使用される平面ハンドルであって、
前記ハウジングが、前記把持部材を収容したとき前記把持部材に対向する面に少なくとも１つの通気開口を有し、
前記把持部材における前記一端と遠位端との間において、前記遠位端寄りの位置に前記シリンダ錠が配置され、
前記把持部材は、前記長手方向において、前記一端と前記シリンダ錠との間に厚さ方向へ延びる複数の貫通孔を有し、
前記貫通孔のそれぞれは六角形であって、前記複数の貫通孔はハニカム構造となるように配置してあり、
前記把持部材を前記ハウジングに収容したとき、前記複数の貫通孔と前記通気開口と連通することを特徴とする前記平面ハンドル。
【請求項２】
前記シリンダ錠が、鍵穴を有するロータと、前記ロータを回転可能に保持する外筒とを備え、前記外筒が前記把持部材と一体に成形されて前記把持部材の前記厚さ方向に延び出す、請求項１に記載の平面ハンドル。
【請求項３】
前記ロータが前記鍵穴に対向する後端部を有し、
前記後端部が前記把持部材と一体に成形された前記外筒から突き出すとともに、
前記後端部に前記把持部材を前記ハウジングに対しロックするためのロックカムが取り付けられ、
前記ロックカムは円形の円盤部と、前記円盤部からその直径方向両側に延び出す一対の爪部とを有して、前記円盤部の中心が前記ロータの回転軸上に位置し、
前記ロックカムの前記円盤部の直径が、前記シリンダ錠の前記外筒の外径と同じか小さい、請求項２に記載の平面ハンドル。
【発明の詳細な説明】
【技術分野】
【０００１】
本発明は平面ハンドルに関し、好ましくはサーバ等の電気機器を格納するキャビネットの扉の施錠に使用される平面ハンドルに関する。
【背景技術】
【０００２】
従来、電気機器を格納するためのキャビネットが広く用いられている。例えばコンピュータのサーバの格納にキャビネットが用いられており、サーバ設置区域への立入管理を重視する場合には、施錠可能なキャビネットが用いられている。特許文献１には、サーバ等を格納するキャビネットの扉に用いられ、あらかじめ登録された正当権限者でなければハンドルロック機構の解錠が行えない扉用ロックハンドル装置が開示されている。
【先行技術文献】
【特許文献】
【０００３】
【特許文献１】特開２００５−２５６３６７号公報
【０００４】
このように施錠可能なキャビネットは密閉性が高く、サーバの放熱により内部が高温になりやすいので、壁面に通気孔を有するキャビネットを設置し、冷却ファン等によりキャビネット内に通風することが一般的に行われている。このようにキャビネット内に通風する場合、サーバからの放熱量が増加したときには通風量を上げる必要があるが、キャビネットの壁面の開口率が低く通気性が不十分な場合、サーバの冷却に必要な通風量を確保できなくなることがある。しかし、特許文献１に開示されているような従来の扉用ロックハンドル装置は通気性が全くないため、サーバの冷却に必要な通気性を確保するうえで、一つの障害となっていた。
【発明の概要】
【発明が解決しようとする課題】
【０００５】
以上に鑑み、本発明は、電気機器を格納するためのキャビネットの通風性の向上に寄与する平面ハンドルを提供することを課題とする。
【課題を解決するための手段】
【０００６】
前記課題を解決するために、本発明は、扉に固定される縦長のハウジングと、前記ハウジングに収容される縦長の平板状把持部材とを含み、前記把持部材の長手方向の一端が前記ハウジングに対し回動可能に取り付けられ、前記把持部材に設けられたシリンダ錠により前記把持部材が前記ハウジングに対しロックされ、電気機器を格納するキャビネットの扉に使用される平面ハンドルに関する。
【０００７】
本発明の平面ハンドルは、前記ハウジングが、前記把持部材を収容したとき前記把持部材に対向する面に少なくとも１つの通気開口を有し、前記把持部材における前記一端と遠位端との間において、前記遠位端寄りの位置に前記シリンダ錠が配置され、前記把持部材は、前記長手方向において、前記一端と前記シリンダ錠との間に厚さ方向へ延びる複数の貫通孔を有し、前記貫通孔のそれぞれは六角形であって、前記複数の貫通孔はハニカム構造となるように配置してあり、前記把持部材を前記ハウジングに収容したとき、前記複数の貫通孔と前記通気開口と連通することを特徴とする。
【発明の効果】
【０００８】
本発明の一つ以上の実施態様によれば、把持部材をハウジングに収容したとき、把持部材の長手方向の一端と遠位端との間に設けられて把持部材の厚み方向に延びる複数の貫通孔と、ハウジングの把持部材との対向面に設けられた開口とが連通するので、平面ハンドルを通じてキャビネット内に通風することが可能になり、これによりキャビネットの通風性の向上に寄与する平面ハンドルが提供される。
【図面の簡単な説明】
【０００９】
図面は、本発明の特定の実施の形態を示し、発明の不可欠な構成ばかりでなく、選択的及び好ましい実施の形態を含む。
【図１】本発明に係る平面ハンドルの斜視図。
【図２】平面ハンドルの分解斜視図。
【図３】図１のＩＩＩ−ＩＩＩ線断面図。
【図４】平面ハンドルの背面図。
【図５】平面ハンドルの別の実施態様を表す図。
【発明を実施するための形態】
【００１０】
下記の実施の形態は、添付の図面に示す平面ハンドルに関し、発明の不可欠な構成ばかりではなく、選択的及び好ましい構成を含む。
図１は、本発明の一実施形態に係り、把持部材１０とハウジング３０とを含む平面ハンドル１の斜視図である。図１では、把持部材１０がハウジング３０に収容された状態を実線で表し、把持部材１０をハウジング３０に対し起立させた状態を仮想線で表している。把持部材１０は、縦長の平板状部材であり、その長手方向の一端１１がハウジング３０に対し回動可能に取り付けられるとともに、ハウジング３０が取り付けられた扉（図示せず）を施錠するためのラッチ金具１４に連結されている。図１に示す例では、把持部材１０を起立させた状態からさらに所定の方向に回転させることができ、これにより、把持部材１０に連結されたラッチ金具１４を回転させることができる。
【００１１】
把持部材１０の一端１１と、長手方向において一端１１に対向する遠位端１２との間には、把持部材１０の厚み方向に延びる複数の貫通孔１３が穿孔されている。また、把持部材１０の長手方向において遠位端１２寄りの位置にシリンダ錠５０が配置されており、把持部材１０の表面に鍵穴５１が露出している。後述するように、このシリンダ錠５０においてロータ５２の鍵穴５１に対向するロータ５２の後端部５４に固定されたロックカム５５の爪部５７が、ハウジング３０に立設された囲壁部３３の頂部３６に当接することにより、把持部材１０をハウジング３０に収容した状態のときに、把持部材１０をハウジング３０に対しロックすることができる。なお本実施形態では、シリンダ錠５０がディスクシリンダー錠である場合を例に説明する。
【００１２】
図２と図３を参照して、平面ハンドル１の各部について説明する。平面ハンドル１は、把持部材１０とハウジング３０を含み、把持部材１０の一端１１が、回転シャフト４０及び連結ピン１６を介してハウジング３０に対し回動可能に取り付けられる。把持部材１０と回転シャフト４０との間には、波型の板バネ１７が挟み込まれ、この波型の板バネ１７により、把持部材１０のハウジング３０に対する起立角度を所定の値（例えば４５°）に保つことができる。また、把持部材１０が回動可能に取り付けられたハウジング３０は、仮想線で示す扉２に設けられた取付開口２２にはめ込まれ、扉２の反対側に配置されるブラケット２０を介して、扉２に対しネジ止め等の公知の手段により固定される。なお、図３ではラッチ金具１４の図示は省略している。
【００１３】
把持部材１０の一端１１には、把持部材１０を幅方向に貫通するピン挿入孔１８が設けられており、このピン挿入孔１８に連結ピン１６を挿入することにより、回転シャフト４０と把持部材１０とが連結される。また、把持部材１０の長手方向における遠位端１２寄りの位置には、シリンダ錠５０を設置するための錠設置孔１９が設けられており、錠設置孔１９の開口縁部から、シリンダ錠５０のロータ５２が収納される円筒部２１が、把持部材１０の厚み方向に延び出している。円筒部２１はシリンダ錠５０のロータ５２を回転可能に保持する外筒に相当し、円筒部２１の内面にはシリンダ錠を施錠状態にしたときディスクタンブラー５９が進入する溝６０が形成されている。すなわち、把持部材１０にはシリンダ錠５０の外筒が一体に形成されている。このように把持部材１０にシリンダ錠５０の外筒を一体に形成すれば、ロータ５２と外筒があらかじめ組み合わされたシリンダ錠５０を把持部材１０に取り付ける場合と比較して、錠設置孔１９の孔径を小さくすることができる結果、貫通孔１３を設置可能な面積を大きくすることができるので好ましい。なお、円筒部２１にロータ５２を収納したとき、ロータ５２の回転軸上において鍵穴５１に対向するロータ５２の後端部５４が円筒部２１から突出する。
【００１４】
把持部材１０において、ピン挿入孔１８と錠設置孔１９との間の領域には、複数の六角形の貫通孔１３がハニカム構造となるように配列されている。また、錠設置孔１９と把持部材１０の遠位端１２との間にも複数の貫通孔１３が設けられている（図４参照）。このように複数の六角形の貫通孔１３をハニカム構造となるように配列すれば、把持部材１０の強度を損なうことなく把持部材１０の開口率を大きくすることができるので好ましい。なお、本実施形態の貫通孔１３の形状には、六角形のほか、三角形及び台形も含まれており、これによっても把持部材１０の開口率が高められている。
【００１５】
ハウジング３０も縦長の平板状部材であり、長手方向及び幅方向寸法が把持部材１０よりも大きい。また、把持部材１０を収容するために、ハウジング３０の中央域には、厚み方向に窪む凹部３１が形成されている。凹部３１は、特許請求の範囲で言う把持部材１０と対向する面であり、そのほぼ全面に通気開口３２が設けられている。凹部３１の幅方向両側には、一対の側壁部３９が長手方向に互いに並行して延びる。本実施形態の通気開口３２は、ハウジング３０のリブ３７により二分されているが、リブ３７を設けずに単一の通気開口３２とすることもできる。
【００１６】
ハウジング３０には、把持部材１０を収容する際に、シリンダ錠５０のロータ５２が収納された円筒部２１が旋回動しながら進入可能な囲壁部３３が立設されている。囲壁部３３は、ハウジング３０の把持部材１０と対向する面とは反対側の面、すなわちハウジング３０の背面からハウジングの厚み方向に延び出すとともに、ハウジング３０の長手方向において回転シャフト４０から離間した位置に設けられる。囲壁部３３には、ハウジング３０の幅方向に立設される第１壁部３４と、第１壁部３４の両側からハウジング３０の長手方向と平行な方向に回転シャフト４０の方向、別言すれば把持部材１０の遠位端１２から一端１１に向かう方向に平行な方向に向けて延び出す一対の第２壁部３５とが含まれる。ハウジング３０を扉２に取り付けるとき、囲壁部３３は取付開口２２に挿入され、第１壁部３４および第２壁部３５が取付開口２２の開口縁に当接する。
【００１７】
シリンダ錠５０のロータ５２の後端部５４には、シリンダ錠５０により把持部材１０をハウジング３０に対しロックするための、ロックカム５５が取り付けられている。ロックカム５５は円形の円盤部５６と、円盤部５６からその直径方向両側に延び出す一対の爪部５７とを有し、円形の円盤部５６の中心はロータ５２の回転軸上に位置する。シリンダ錠５０が開錠状態のとき、一対の爪部５７は把持部材１０およびハウジング３０の長手方向に並ぶ。一方、シリンダ錠５０が施錠状態のときは、一対の爪部５７はロータ５２の回転軸の周りを９０°回転した位置となって、把持部材１０およびハウジング３０の幅方向に並び、一対の第２壁部３５のそれぞれの頂部３６に当接する。
【００１８】
一対の第２壁部３５の離間寸法は、ロックカム５５の円盤部５６の直径および把持部材１０の円筒部２１の外径より大きい。また、一対の爪部５７の先端５８は、それぞれ円盤部５６の中心と同心円の円弧を描いており、一対の第２壁部３５の離間寸法は、一対の爪部５７の先端５８どうしの離間距離よりも小さい。シリンダ錠５０を開錠状態にし、ハウジング３０に対し把持部材１０を回動させてハウジング３０に収容するとき、把持部材１０およびハウジング３０の長手方向に並ぶ一対の爪部５７は、第１及び第２壁部３４、３５に当たることなく囲壁部３３を通過する。次いでシリンダ錠５０を施錠状態にすると、ロックカム５５の一対の爪部５７は把持部材１０の幅方向、すなわちハウジング３０の幅方向に並び、一対の第２壁部３５のそれぞれの頂部３６に当接する。これにより、把持部材１０がハウジング３０に対しロックされる。
【００１９】
ここで、ロックカム５５の円盤部５６の直径は、把持部材１０の円筒部２１の外径、すなわちシリンダ錠５０の外筒の外径と同じか、または小さいことが好ましい。このようにすれば、ロックカム５５の円盤部５６が把持部材１０の円筒部２１の直径方向外側にはみ出すことがないので、ロックカム５５の円盤部５６が通風性を損なうことを防止できる。また、各爪部５７の円盤部５６からの延出方向に直交する方向における寸法を、円盤部５６の直径よりも小さくすることが好ましい。これにより、シリンダ錠５０を開錠状態にしたときに、爪部５７が把持部材１０の円筒部２１と、ハウジング３０の第２壁部３５との間に露出する面積を最小限に留めることができる。
【００２０】
ハウジング３０にはさらに、把持部材１０を収容したとき把持部材１０の一端１１に対応する部位に、回転シャフト４０を挿通するためのシャフト挿通部４１が形成されている。シャフト挿通部４１には、ハウジング３０の厚み方向に貫通するシャフト孔４２が設けられている。
【００２１】
回転シャフト４０は円柱状の部材であり、回転軸方向におけるいずれか一方の端部に設けられ、把持部材１０と連結するための連結ピン１６が挿入されるピン孔４３と、ピン孔４３が設けられた端部と反対側の端部に設けられ、回転規制カム４４及びラッチ金具１４が取り付けられる非円形部４５と、ピン孔４３と非円形部４５との間に配置される拡径部４６とを有する。ピン孔４３は回転シャフト４０を回転軸に対し直交する方向に貫通し、把持部材１０のピン挿入孔１８と連通可能に設けられる。拡径部４６は、回転シャフト４０をハウジング３０のシャフト孔４２に挿通したときハウジング３０の凹部３１に当接し、回転シャフト４０のハウジング３０に対する進入深さを規制する。非円形部４５は、回転シャフト４０をシャフト孔４２に挿通したときハウジング３０の背面に突き出す。本実施形態では、非円形部４５の回転軸方向に直交する断面の形状が正方形とされている。非円形部４５に嵌めこまれるれる回転規制カム４４は円形の部材であり、その直径方向両側に延び出す一対の延出部４７を有し、回転シャフト４０に対し回転不能に取り付けられる。把持部材１０を回転シャフト４０の周囲に回転させたとき、回転規制カム４４が回転シャフト４０とともに回転し、ハウジング３０の背面に立設された突起部３８（図４参照）に延出部４７が当接することにより、把持部材１０の回転角度が規制される。非円形部４５にはさらに、前述のラッチ金具１４が取り付けられる。ラッチ金具１４と回転規制カム４４は、螺着などの公知の手段により、回転シャフト４０に対し固定される。
【００２２】
図４に、施錠状態の平面ハンドル１を背面から見た図を示す。別言すれば、サーバ等の電気機器を収容するためのキャビネット（図示せず）の内側から、施錠状態の平面ハンドル１を見たときの状態を示す。なお、図４ではラッチ金具１４の図示は省略している。施錠状態の平面ハンドル１では、把持部材１０はハウジング３０に収容されており、図４から明らかなように、把持部材１０に設けられた複数の貫通孔１３の大部分が、ハウジング３０の通気開口３２と連通し、貫通孔１３から通気開口３２に至る気体の流路が確保される。従って、本願の平面ハンドル１をキャビネットに取り付けた場合、キャビネットにあらかじめ設けられた通気孔に加え、平面ハンドル１の貫通孔１３および通気開口３２を通じてキャビネットに通風することが可能になる結果、キャビネットの通風性が向上する。
【００２３】
上記の実施形態では、貫通孔１３が六角形である場合を例に説明したが、図５（ａ）〜（ｄ）に例示するように、貫通孔１３の形状は円形、正方形または三角形でもよいし、図５（ｅ）〜（ｈ）に示すように、把持部材１０の長手方向または幅方向に延びるスリットでもよいし、把持部材１０の長手方向に対し斜めに延びるスリットでもよい。本発明の複数の貫通孔１３の形状は、円形、楕円形、多角形のいずれか１種の形状、又はこれらの組合せとすることができる。複数の貫通孔１３の配置は、千鳥状、格子状等の規則的な配列でもよいし、ランダムに配置することもできる。また、貫通孔１３の開口寸法が把持部材１０の厚み方向に沿って一定である必要は無く、拡大又は縮小していてもよい。また別の実施形態として、把持部材１０の貫通孔１３を通過する空気の流動方向を考慮して、貫通孔１３を把持部材１０の厚み方向に対し斜めに設けることもできる。さらに、把持部材１０に複数の貫通孔１３を設ける領域の厚みを、それ以外の領域の厚みよりも小さくして、貫通孔１３を通過する空気の圧力損失を小さくすることもできる。
【００２４】
また、上記の実施形態ではシリンダ錠５０がディスクシリンダー錠である場合について説明したが、ロータリーディスクシリンダー錠、八万ロック錠などの、任意のシリンダ錠５０を用いることができる。なお、本発明の平面ハンドル１の材質に制限はなく、金属、樹脂、セラミックスなどの公知の材料を用いることができる。
【００２５】
以上に記載した本発明に関する開示は、少なくとも下記の事項に整理することができる。
扉に固定される縦長のハウジングと、前記ハウジングに収容される縦長の平板状把持部材とを含み、前記把持部材の長手方向の一端が前記ハウジングに対し回動可能に取り付けられ、前記把持部材に設けられたシリンダ錠により前記把持部材が前記ハウジングに対しロックされ、電気機器を格納するキャビネットの扉に使用される平面ハンドルであって、前記ハウジングが、前記把持部材を収容したとき前記把持部材に対向する面に少なくとも１つの通気開口を有し、前記把持部材における前記一端と遠位端との間において、前記遠位端寄りの位置に前記シリンダ錠が配置され、前記把持部材は、前記長手方向において、前記一端と前記シリンダ錠との間に厚さ方向へ延びる複数の貫通孔を有し、前記貫通孔のそれぞれは六角形であって、前記複数の貫通孔はハニカム構造となるように配置してあり、前記把持部材を前記ハウジングに収容したとき、前記複数の貫通孔と前記通気開口と連通する。
【００２６】
上記段落００２５に開示した本発明は、少なくとも下記の実施の形態を含むことができる。該実施の形態は、分離して又は互いに組み合わせて採択することができる。
【００２７】
（１）前記シリンダ錠が、鍵穴を有するロータと、前記ロータを回転可能に保持する外筒とを備え、前記外筒が前記把持部材と一体に成形されて前記把持部材の厚み方向に延び出す。
（２）前記ロータが前記鍵穴に対向する後端部を有し、前記後端部が前記把持部材と一体に成形された前記外筒から突き出すとともに、前記後端部に前記把持部材を前記ハウジングに対しロックするためのロックカムが取り付けられ、前記ロックカムは円形の円盤部と、前記円盤部からその直径方向両側に延び出す一対の爪部とを有して、前記円盤部の中心が前記ロータの回転軸上に位置し、前記ロックカムの前記円盤部の直径が、前記シリンダ錠の前記外筒の外径と同じか小さい。
【符号の説明】
【００２８】
１    平面ハンドル
２    扉
１０  把持部材
１１  一端
１２  遠位端
１３  貫通孔
２１  円筒部（外筒）
３０  ハウジング
３１  凹部（把持部材に対向する面）
３２  通気開口
４０  回転シャフト
５０  シリンダ錠
５１  鍵穴
５２  ロータ
５４  後端部
５５  ロックカム
５６  円盤部
５７  爪部
【図１】
0006006694.tif 000002
【図２】
0006006694.tif 000003
【図３】
0006006694.tif 000004
【図４】
0006006694.tif 000005
【図５】
0006006694.tif 000006